(57)【要約】【課題】マグロ等の魚類の釣りの際、鮫等による食害は非常に頻度が高く、問題となっていた。レジャーとしての釣りに於いても、鮫等による食害は興趣を削ぎ、その価値を低下させる原因となっていた。また、サーフィン等の海洋レジャー時の鮫等による人的被害も甚大であり、対策が求められていた。【解決手段】水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電極間に電圧を印加するための電源装置からの通電をオンオフするスイッチと、該チューブ状部材を輪状に連接するジョイント部材を備え、水中に投入して該電極間に電圧を印加することにより、水中に生息する鮫等の人的被害或いは食害を齎す生物を忌避する装置であり、その使用方法である。【選択図】図１
2020110145.tif 000002
【特許請求の範囲】
【請求項１】
水中に生息する鮫等の人的被害或いは食害を齎す生物を忌避する装置であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電源装置からの通電をオンオフするスイッチと、
該チューブ状部材を輪状に連接するジョイント部材を備え、
水中に投入して該電極間に電圧及び／又は電流を印加することにより、
水中に生息する鮫等の人的被害或いは食害を齎す生物を忌避する装置。
【請求項２】
水中に生息する鮫等の人的被害或いは食害を齎す生物を忌避する装置であって、
粘弾性を有する材料よりなるチューブ状部材と、
該チューブ状部材の一部に設けられ或いは内蔵された電源装置と、
該チューブ状部材の外面の一部に設けられた電極と、
該チューブ状部材の外面の他の一部に設けられた対向電極と、
該電源装置からの通電をオンオフするスイッチと、
該チューブ状部材を輪状に連接するジョイント部材を備え、
水中に投入して該電極間に電圧及び／又は電流を印加することにより、
水中に生息する鮫等の人的被害或いは食害を齎す生物を忌避する装置。
【請求項３】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項１又は２記載の水中に生息する鮫等の人的被害或いは食害を齎す生物を忌避する装置。
【請求項４】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項１乃至３の何れか一に記載の水中に生息する鮫等の人的被害或いは食害を齎す生物を忌避する装置。
【請求項５】
該チューブ状部材を輪状に連接した状態での輪の大きさは、
１０ｃｍ以上６０ｃｍ以下であることを特徴とする、
請求項１、３又は４の何れか一に記載の水中に生息する鮫等の人的被害或いは食害を齎す生物を忌避する装置。
【請求項６】
該チューブ状部材を輪状に連接した状態での輪の大きさは、
１５ｃｍ以上４０ｃｍ以下であることを特徴とする、
請求項５記載の水中に生息する鮫等の人的被害或いは食害を齎す生物を忌避する装置。
【請求項７】
該チューブ状部材を連接するためのジョイントは、
両端が相互に嵌合する構造としたことにより為されることを特徴とする、
請求項１乃至６の何れか一に記載の水中に生息する鮫等の人的被害或いは食害を齎す生物を忌避する装置。
【請求項８】
該チューブ状部材を連接するためのジョイントは、
ワンタッチジョイントを用いたことを特徴とする、
請求項７記載の水中に生息する鮫等の人的被害或いは食害を齎す生物を忌避する装置。
【請求項９】
該チューブ状部材を連接するためのジョイントは、
磁石により接合するする構造としたことにより為されることを特徴とする、
請求項１乃至６の何れか一に記載の水中に生息する鮫等の人的被害或いは食害を齎す生物を忌避する装置。
【請求項１０】
該チューブ状部材を連接するためのジョイントに用いられる磁石は、
ネオジム磁石であることを特徴とする、
請求項９記載の水中に生息する鮫等の人的被害或いは食害を齎す生物を忌避する装置。
【請求項１１】
該チューブ状部材から延伸する対向電極を備えた紐状の部材の長さは、
３０ｃｍ以上３ｍ以下であることを特徴とする、
請求項１又は３乃至１０の何れか一に記載の水中に生息する鮫等の人的被害或いは食害を齎す生物を忌避する装置。
【請求項１２】
該チューブ状部材から延伸する対向電極を備えた紐状の部材の長さは、
５０ｃｍ以上２m以下であることを特徴とする、
請求項１１記載の水中に生息する鮫等の人的被害或いは食害を齎す生物を忌避する装置。
【請求項１３】
該電極間に電圧を印加するための電源装置は、
電池を含んでなることを特徴とする、
請求項１乃至１２の何れか一に記載の水中に生息する鮫等の人的被害或いは食害を齎す生物を忌避する装置。
【請求項１４】
該電池は、
乾電池、ボタン型電池或いは充放電が可能な蓄電池であることを特徴とする、
請求項１３記載の水中に生息する鮫等の人的被害或いは食害を齎す生物を忌避する装置。
【請求項１５】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項１乃至１４の何れか一に記載の水中に生息する鮫等の人的被害或いは食害を齎す生物を忌避する装置。
【請求項１６】
該海中に放電される放電電圧は、
パルス電圧であることを特徴とする、
請求項１５記載の水中に生息する鮫等の人的被害或いは食害を齎す生物を忌避する装置。
【請求項１７】
該水中に生息する鮫等の人的被害或いは食害を齎す生物を忌避する装置であって、
該装置に含まれる電源装置は水中での電磁界を制御するため、放電電流を海中に出力することを特徴とする、
請求項１乃至１４の何れか一に記載の水中に生息する鮫等の人的被害或いは食害を齎す生物を忌避する装置。
【請求項１８】
該海中に放電される放電電流は、
パルス電流であることを特徴とする、
請求項１７記載の水中に生息する鮫等の人的被害或いは食害を齎す生物を忌避する装置。
【請求項１９】
該海中に放電される放電電圧或いは放電電流は、
そのパターンを変更することが可能であることを特徴とする、
請求項１５乃至１８の何れか一に記載の水中に生息する鮫等の人的被害或いは食害を齎す生物を忌避する装置。
【請求項２０】
該海中に放電される放電電圧或いは放電電流は、
そのパターンを変更することが可能であって、
且つ、使用時にフィールドでパターン変更が可能であることを特徴とする、
請求項１９記載の水中に生息する鮫等の人的被害或いは食害を齎す生物を忌避する装置。
【請求項２１】
該パターン変更機能は、
再プログラムできる機能を搭載することにより行われることを特徴とする、
請求項２０記載の水中に生息する鮫等の人的被害或いは食害を齎す生物を忌避する装置。
【請求項２２】
該パターン変更機能は、
プログラマブルハードウェアを搭載することにより行われることを特徴とする、
請求項２１記載の水中に生息する鮫等の人的被害或いは食害を齎す生物を忌避する装置。
【請求項２３】
該パターン変更機能は、
マイコン及び記録されるソフトウェアを搭載し、プログラムを書き換えることにより行われることを特徴とする、
請求項２１記載の水中に生息する鮫等の人的被害或いは食害を齎す生物を忌避する装置。
【請求項２４】
該海中に放電される放電電圧或いは放電電流は、
チャージポンプ或いはＤＣーＤＣコンバータにより生成されることを特徴とする、
請求項１５乃至２３の何れか一に記載の水中に生息する鮫等の人的被害或いは食害を齎す生物を忌避する装置。
【請求項２５】
該海中に放電される放電電圧或いは放電電流のパターンは、
そのパルス幅及び／又は周期が制御されることを特徴とする、
請求項１６又は１８乃至２４の何れか一に記載の水中に生息する鮫等の人的被害或いは食害を齎す生物を忌避する装置。
【請求項２６】
該海中に放電される放電電圧或いは放電電流のパターンは、
そのパルス幅及び／又は周期が変更可能であることを特徴とする、
請求項１６又は１８乃至２４の何れか一に記載の水中に生息する鮫等の人的被害或いは食害を齎す生物を忌避する装置。
【請求項２７】
該海中に放電される放電電圧或いは放電電流のパターンは、
そのパルス幅及び／又は周期がランダムに変更されることを特徴とする、
請求項１６又は１８乃至２４の何れか一に記載の水中に生息する鮫等の人的被害或いは食害を齎す生物を忌避する装置。
【請求項２８】
該海中に放電される放電電圧或いは放電電流のパターンは、
そのパルス幅が０.１秒以上１秒以内であることを特徴とする、
請求項１６又は１８乃至２７の何れか一に記載の水中に生息する鮫等の人的被害或いは食害を齎す生物を忌避する装置。
【請求項２９】
該海中に放電される放電電圧或いは放電電流のパターンは、
そのパルス幅が０.２秒以上０.７秒以内であることを特徴とする、
請求項２８記載の水中に生息する鮫等の人的被害或いは食害を齎す生物を忌避する装置。
【請求項３０】
該海中に放電される放電電圧或いは放電電流のパターンは、
その周期が０.５秒以上５秒以内であり、且つ、放電パルス幅の２倍以上であることを特徴とする、
請求項１６又は１８乃至２９の何れか一に記載の水中に生息する鮫等の人的被害或いは食害を齎す生物を忌避する装置。
【請求項３１】
該海中に放電される放電電圧或いは放電電流のパターンは、
その周期が１秒以上４秒以内であり、且つ、放電パルス幅の２倍以上であることを特徴とする、
請求項３０記載の水中に生息する鮫等の人的被害或いは食害を齎す生物を忌避する装置。
【請求項３２】
該チューブ状部材は透光性を有し、
且つ、回路上に発光素子を備え、
該発光素子の発光により内部状態を確認可能であることを特徴とする、
請求項１乃至３１の何れか一に記載の水中に生息する鮫等の人的被害或いは食害を齎す生物を忌避する装置。
【請求項３３】
該発光素子は、
ＬＥＤ素子であることを特徴とする、
請求項３２記載の水中に生息する鮫等の人的被害或いは食害を齎す生物を忌避する装置。
【請求項３４】
該発光素子は、
ＬＥＤ素子であって、非常時に位置を知らせるための機能を兼ねることを特徴とする、
請求項３３記載の水中に生息する鮫等の人的被害或いは食害を齎す生物を忌避する装置。
【請求項３５】
該電源装置により供給される電圧は、
３V以上３０V以下であることを特徴とする、
請求項１乃至３４の何れか一に記載の水中に生息する鮫等の人的被害或いは食害を齎す生物を忌避する装置。
【請求項３６】
該電源装置により供給されるパルス電圧或いはパルス電流は、
非常時に位置を知らせる信号を兼ねるように設定されていることを特徴とする、
請求項１５乃至３５の何れか一に記載の水中に生息する鮫等の人的被害或いは食害を齎す生物を忌避する装置。
【請求項３７】
該電極間に電圧を印加するための電源装置により供給されるパルス電圧或いはパルス電流は、
モールス信号を兼ねるように設定されていることを特徴とする、
請求項３６記載の水中に生息する鮫等の人的被害或いは食害を齎す生物を忌避する装置。
【請求項３８】
該電極間に電圧を印加するための電源装置からの通電をオンオフするスイッチは、
該チューブ状部材を連接するためのジョイントが連接されることによりオンとなる構成であることを特徴とする、
請求項１乃至３７の何れか一に記載の水中に生息する鮫等の人的被害或いは食害を齎す生物を忌避する装置。
【請求項３９】
該電極間に電圧を印加するための電源装置からの通電をオンオフするスイッチは、
水中に投入された場合にセンサーが反応してオンとなる構成であることを特徴とする、
請求項１乃至３７の何れか一に記載の水中に生息する鮫等の人的被害或いは食害を齎す生物を忌避する装置。
【請求項４０】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項３乃至３９の何れか一に記載の水中に生息する鮫等の人的被害或いは食害を齎す生物を忌避する装置。
【請求項４１】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項１乃至４０の何れか一に記載の水中に生息する鮫等の人的被害或いは食害を齎す生物を忌避する装置。
【請求項４２】
水中に生息する鮫等の人的被害或いは食害を齎す生物を忌避する装置であって、
防水性を持つ部材に封入された電源装置と、
該防水性を持つ部材の外面の一部或いは全部に設けられた電極と、
該防水性を持つ部材から延伸する対向電極を備えた紐状の部材と、
該電源装置からの通電をオンオフするスイッチを備え、
水中に投入、身体や装具に装着或いはレジャー器具等に装備して該電極間に電圧及び／又は電流を印加することにより、
水中に生息する鮫等の人的被害或いは食害を齎す生物を忌避する装置。
【請求項４３】
水中に生息する鮫等の人的被害或いは食害を齎す生物を忌避する装置であって、
防水性を持つ部材に封入された電源装置と、
該防水性を持つ部材の外面の一部に設けられた電極と、
該防水性を持つ部材の外面の他の一部に設けられた対向電極と、
該電源装置からの通電をオンオフするスイッチを備え、
水中に投入、身体や装具に装着或いはレジャー器具等に装備して該電極間に電圧及び／又は電流を印加することにより、
水中に生息する鮫等の人的被害或いは食害を齎す生物を忌避する装置。
【請求項４４】
該水中に生息する鮫等の人的被害或いは食害を齎す生物を忌避する装置に於いて、
該電源装置はモールド剤によって封入されてなり、
水中に投入した場合にも水に接触しないことを特徴とする、
請求項４２又は４３記載の水中に生息する鮫等の人的被害或いは食害を齎す生物を忌避する装置。
【請求項４５】
該防水性を持つ部材に用いられる材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項４２乃至４４の何れか一に記載の水中に生息する鮫等の人的被害或いは食害を齎す生物を忌避する装置。
【請求項４６】
該モールド剤は、
内部に封入された電源装置との間に気泡或いは空隙を残さないように注入形成されたことを特徴とする、
請求項４２乃至４５の何れか一に記載の水中に生息する鮫等の人的被害或いは食害を齎す生物を忌避する装置。
【請求項４７】
該防水性を持つ部材に用いられる材料は、
射出成形により形成されたことを特徴とする、
請求項４２乃至４５の何れか一に記載の水中に生息する鮫等の人的被害或いは食害を齎す生物を忌避する装置。
【請求項４８】
該電源装置から延伸する対向電極を備えた紐状の部材の長さは、
３０ｃｍ以上３ｍ以下であることを特徴とする、
請求項４２、又は、４４乃至４７の何れか一に記載の水中に生息する鮫等の人的被害或いは食害を齎す生物を忌避する装置。
【請求項４９】
該電源装置から延伸する対向電極を備えた紐状の部材の長さは、
５０ｃｍ以上２m以下であることを特徴とする、
請求項４８記載の水中に生息する鮫等の人的被害或いは食害を齎す生物を忌避する装置。
【請求項５０】
該電極間に電圧を印加するための電源装置は、
電池を含んでなることを特徴とする、
請求項４２乃至４９の何れか一に記載の水中に生息する鮫等の人的被害或いは食害を齎す生物を忌避する装置。
【請求項５１】
該電池は、
乾電池、ボタン型電池或いは充放電が可能な蓄電池であることを特徴とする、
請求項５０記載の水中に生息する鮫等の人的被害或いは食害を齎す生物を忌避する装置。
【請求項５２】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項４２乃至５１の何れか一に記載の水中に生息する鮫等の人的被害或いは食害を齎す生物を忌避する装置。
【請求項５３】
該海中に放電される放電電圧は、
パルス電圧であることを特徴とする、
請求項５２記載の水中に生息する鮫等の人的被害或いは食害を齎す生物を忌避する装置。
【請求項５４】
該水中に生息する鮫等の人的被害或いは食害を齎す生物を忌避する装置であって、
該装置に含まれる電源装置は水中での電磁界を制御するため、放電電流を海中に出力することを特徴とする、
請求項４２乃至５１の何れか一に記載の水中に生息する鮫等の人的被害或いは食害を齎す生物を忌避する装置。
【請求項５５】
該海中に放電される放電電流は、
パルス電流であることを特徴とする、
請求項５４記載の水中に生息する鮫等の人的被害或いは食害該装置に含まれる電源装置を齎す生物を忌避する装置。
【請求項５６】
該海中に放電される放電電圧或いは放電電流は、
そのパターンを変更することが可能であることを特徴とする、
請求項５２乃至５５の何れか一に記載の水中に生息する鮫等の人的被害或いは食害を齎す生物を忌避する装置。
【請求項５７】
該海中に放電される放電電圧或いは放電電流は、
そのパターンを変更することが可能であって、
且つ、使用時にフィールドでパターン変更が可能であることを特徴とする、
請求項５６記載の水中に生息する鮫等の人的被害或いは食害を齎す生物を忌避する装置。
【請求項５８】
該パターン変更機能は、
再プログラムできる機能を搭載することにより行われることを特徴とする、
請求項５７記載の水中に生息する鮫等の人的被害或いは食害を齎す生物を忌避する装置。
【請求項５９】
該パターン変更機能は、
プログラマブルハードウェアを搭載することにより行われることを特徴とする、
請求項５７記載の水中に生息する鮫等の人的被害或いは食害を齎す生物を忌避する装置。
【請求項６０】
該パターン変更機能は、
マイコン及び記録されるソフトウェアを搭載し、プログラムを書き換えることにより行われることを特徴とする、
請求項５８記載の水中に生息する鮫等の人的被害或いは食害を齎す生物を忌避する装置。
【請求項６１】
該海中に放電される放電電圧或いは放電電流は、
チャージポンプ或いはＤＣーＤＣコンバータにより生成されることを特徴とする、
請求項５２乃至６０の何れか一に記載の水中に生息する鮫等の人的被害或いは食害を齎す生物を忌避する装置。
【請求項６２】
該海中に放電される放電電圧或いは放電電流のパターンは、
そのパルス幅及び／又は周期が制御されることを特徴とする、
請求項５３又は５５乃至６１の何れか一に記載の水中に生息する鮫等の人的被害或いは食害を齎す生物を忌避する装置。
【請求項６３】
該海中に放電される放電電圧或いは放電電流のパターンは、
そのパルス幅及び／又は周期が変更可能であることを特徴とする、
請求項５３又は５５乃至６１の何れか一に記載の水中に生息する鮫等の人的被害或いは食害を齎す生物を忌避する装置。
【請求項６４】
該海中に放電される放電電圧或いは放電電流のパターンは、
そのパルス幅及び／又は周期がランダムに変更されることを特徴とする、
請求項５３又は５５乃至６１の何れか一に記載の水中に生息する鮫等の人的被害或いは食害を齎す生物を忌避する装置。
【請求項６５】
該海中に放電される放電電圧或いは放電電流のパターンは、
そのパルス幅が０.１秒以上１秒以内であることを特徴とする、
請求項５３又は５５乃至６４の何れか一に記載の水中に生息する鮫等の人的被害或いは食害を齎す生物を忌避する装置。
【請求項６６】
該海中に放電される放電電圧或いは放電電流のパターンは、
そのパルス幅が０.２秒以上０.７秒以内であることを特徴とする、
請求項６５記載の水中に生息する鮫等の人的被害或いは食害を齎す生物を忌避する装置。
【請求項６７】
該海中に放電される放電電圧或いは放電電流のパターンは、
その周期が０.５秒以上５秒以内であり、且つ、放電パルス幅の２倍以上であることを特徴とする、
請求項５３又は５５乃至６６の何れか一に記載の水中に生息する鮫等の人的被害或いは食害を齎す生物を忌避する装置。
【請求項６８】
該海中に放電される放電電圧或いは放電電流のパターンは、
その周期が１秒以上４秒以内であり、且つ、放電パルス幅の２倍以上であることを特徴とする、
請求項６７記載の水中に生息する鮫等の人的被害或いは食害を齎す生物を忌避する装置。
【請求項６９】
該電極間に電圧を印加するための電源装置により供給されるパルス電圧或いはパルス電流は、
モールス信号を兼ねるように設定されていることを特徴とする、
請求項６８記載の水中に生息する鮫等の人的被害或いは食害を齎す生物を忌避する装置。
【請求項７０】
該電源装置からの通電をオンオフするスイッチは、
水中に投入された場合にセンサーが反応してオンとなる構成であることを特徴とする、
請求項４２乃至６９の何れか一に記載の水中に生息する鮫等の人的被害或いは食害を齎す生物を忌避する装置。
【請求項７１】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項４２乃至７０の何れか一に記載の水中に生息する鮫等の人的被害或いは食害を齎す生物を忌避する装置。
【請求項７２】
該防水性を持つ部材及びモールド部材は透光性を有し、
且つ、回路上に発光素子を備え、
該発光素子の発光により内部状態を確認可能であることを特徴とする、
請求項４２乃至７１の何れか一に記載の水中に生息する鮫等の人的被害或いは食害を齎す生物を忌避する装置。
【請求項７３】
該発光素子は、
ＬＥＤ素子であることを特徴とする、
請求項７２記載の水中に生息する鮫等の人的被害或いは食害を齎す生物を忌避する装置。
【請求項７４】
該発光素子は、
ＬＥＤ素子であって、非常時に位置を知らせるための機能を兼ねることを特徴とする、
請求項７３記載の水中に生息する鮫等の人的被害或いは食害を齎す生物を忌避する装置。
【請求項７５】
該防水性を持つ部材は、
一端が略ドーム形に成形された略円筒形をなし、
釣具、漁具等とともに用い、或いは身体、ウェットスーツ、ライフジャケット、マリンレジャー用器具等に装着して用いることを特徴とする、
請求項４２乃至７４の何れか一に記載の水中に生息する鮫等の人的被害或いは食害を齎す生物を忌避する装置。
【請求項７６】
該防水性を持つ部材は、
円盤状に成形され且つベルトを備え、
マリンレジャーの際に腕時計のように装着して用いることを特徴とする、
請求項４２乃至７４の何れか一に記載の水中に生息する鮫等の人的被害或いは食害を齎す生物を忌避する装置。
【請求項７７】
水中に生息する鮫等の人的被害或いは食害を齎す生物を忌避する装置の使用方法であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電源装置からの通電をオンオフするスイッチと、
該チューブ状部材を輪状に連接するジョイント部材を備え、
水中に投入して該電極間に電圧及び／又は電流を印加することにより、
特定の生物を忌避することを特徴とする、
水中に生息する鮫等の人的被害或いは食害を齎す生物を忌避する装置の使用方法。
【請求項７８】
水中に生息する鮫等の人的被害或いは食害を齎す生物を忌避する装置の使用方法であって、
粘弾性を有する材料よりなるチューブ状部材と、
該チューブ状部材の一部に設けられ或いは内蔵された電源装置と、
該チューブ状部材の外面の一部に設けられた電極と、
該チューブ状部材の外面の他の一部に設けられた対向電極と、
該電源装置からの通電をオンオフするスイッチと、
該チューブ状部材を輪状に連接するジョイント部材を備え、
水中に投入して該電極間に電圧及び／又は電流を印加することにより、
特定の生物を忌避することを特徴とする、
水中に生息する鮫等の人的被害或いは食害を齎す生物を忌避する装置の使用方法。
【請求項７９】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項７７又は７８記載の水中に生息する鮫等の人的被害或いは食害を齎す生物を忌避する装置の使用方法。
【請求項８０】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項７７乃至７９の何れか一に記載の水中に生息する鮫等の人的被害或いは食害を齎す生物を忌避する装置の使用方法。
【請求項８１】
該チューブ状部材を輪状に連接した状態での輪の大きさは、
１０ｃｍ以上６０ｃｍ以下であることを特徴とする、
請求項７７、７９又は８０の何れか一に記載の水中に生息する鮫等の人的被害或いは食害を齎す生物を忌避する装置の使用方法。
【請求項８２】
該チューブ状部材を輪状に連接した状態での輪の大きさは、
１５ｃｍ以上４０ｃｍ以下であることを特徴とする、
請求項８１記載の水中に生息する鮫等の人的被害或いは食害を齎す生物を忌避する装置の使用方法。
【請求項８３】
該チューブ状部材を連接するためのジョイントは、
両端が相互に嵌合する構造としたことにより為されることを特徴とする、
請求項７７乃至８２の何れか一に記載の水中に生息する鮫等の人的被害或いは食害を齎す生物を忌避する装置の使用方法。
【請求項８４】
該チューブ状部材を連接するためのジョイントは、
ワンタッチジョイントを用いたことを特徴とする、
請求項８３記載の水中に生息する鮫等の人的被害或いは食害を齎す生物を忌避する装置の使用方法。
【請求項８５】
該チューブ状部材を連接するためのジョイントは、
磁石により接合するする構造としたことにより為されることを特徴とする、
請求項７７乃至８２の何れか一に記載の水中に生息する鮫等の人的被害或いは食害を齎す生物を忌避する装置の使用方法。
【請求項８６】
該チューブ状部材を連接するためのジョイントに用いられる磁石は、
ネオジム磁石であることを特徴とする、
請求項８５記載の水中に生息する鮫等の人的被害或いは食害を齎す生物を忌避する装置の使用方法。
【請求項８７】
該チューブ状部材から延伸する対向電極を備えた紐状の部材の長さは、
３０ｃｍ以上３ｍ以下であることを特徴とする、
請求項７７又は７９乃至８６の何れか一に記載の水中に生息する鮫等の人的被害或いは食害を齎す生物を忌避する装置の使用方法。
【請求項８８】
該チューブ状部材から延伸する対向電極を備えた紐状の部材の長さは、
５０ｃｍ以上２m以下であることを特徴とする、
請求項８７記載の水中に生息する鮫等の人的被害或いは食害を齎す生物を忌避する装置の使用方法。
【請求項８９】
該電極間に電圧を印加するための電源装置は、
電池を含んでなることを特徴とする、
請求項７７乃至８８の何れか一に記載の水中に生息する鮫等の人的被害或いは食害を齎す生物を忌避する装置の使用方法。
【請求項９０】
該電池は、
乾電池、ボタン型電池或いは充放電が可能な蓄電池であることを特徴とする、
請求項８９記載の水中に生息する鮫等の人的被害或いは食害を齎す生物を忌避する装置の使用方法。
【請求項９１】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項７７乃至９０の何れか一に記載の水中に生息する鮫等の人的被害或いは食害を齎す生物を忌避する装置の使用方法。
【請求項９２】
該海中に放電される放電電圧は、
パルス電圧であることを特徴とする、
請求項９１記載の水中に生息する鮫等の人的被害或いは食害を齎す生物を忌避する装置の使用方法。
【請求項９３】
該水中に生息する鮫等の人的被害或いは食害を齎す生物を忌避する装置であって、
該装置に含まれる電源装置は水中での電磁界を制御するため、放電電流を海中に出力することを特徴とする、
請求項７７乃至９０の何れか一に記載の水中に生息する鮫等の人的被害或いは食害を齎す生物を忌避する装置の使用方法。
【請求項９４】
該海中に放電される放電電流は、
パルス電流であることを特徴とする、
請求項９３記載の水中に生息する鮫等の人的被害或いは食害を齎す生物を忌避する装置の使用方法。
【請求項９５】
該海中に放電される放電電圧或いは放電電流は、
そのパターンを変更することが可能であることを特徴とする、
請求項９１乃至９４の何れか一に記載の水中に生息する鮫等の人的被害或いは食害を齎す生物を忌避する装置の使用方法。
【請求項９６】
該海中に放電される放電電圧或いは放電電流は、
そのパターンを変更することが可能であって、
且つ、使用時にフィールドでパターン変更が可能であることを特徴とする、
請求項９５記載の水中に生息する鮫等の人的被害或いは食害を齎す生物を忌避する装置の使用方法。
【請求項９７】
該パターン変更機能は、
再プログラムできる機能を搭載することにより行われることを特徴とする、
請求項９６記載の水中に生息する鮫等の人的被害或いは食害を齎す生物を忌避する装置の使用方法。
【請求項９８】
該パターン変更機能は、
プログラマブルハードウェアを搭載することにより行われることを特徴とする、
請求項９７記載の水中に生息する鮫等の人的被害或いは食害を齎す生物を忌避する装置の使用方法。
【請求項９９】
該パターン変更機能は、
マイコン及び記録されるソフトウェアを搭載し、プログラムを書き換えることにより行われることを特徴とする、
請求項９７記載の水中に生息する鮫等の人的被害或いは食害を齎す生物を忌避する装置の使用方法。
【請求項１００】
該海中に放電される放電電圧或いは放電電流は、
チャージポンプ或いはＤＣーＤＣコンバータにより生成されることを特徴とする、
請求項９１乃至９９の何れか一に記載の水中に生息する鮫等の人的被害或いは食害を齎す生物を忌避する装置の使用方法。
【請求項１０１】
該海中に放電される放電電圧或いは放電電流のパターンは、
そのパルス幅及び／又は周期が制御されることを特徴とする、
請求項９２又は９４乃至１００の何れか一に記載の水中に生息する鮫等の人的被害或いは食害を齎す生物を忌避する装置の使用方法。
【請求項１０２】
該海中に放電される放電電圧或いは放電電流のパターンは、
そのパルス幅及び／又は周期が変更可能であることを特徴とする、
請求項９２又は９４乃至１００の何れか一に記載の水中に生息する鮫等の人的被害或いは食害を齎す生物を忌避する装置の使用方法。
【請求項１０３】
該海中に放電される放電電圧或いは放電電流のパターンは、
そのパルス幅及び／又は周期がランダムに変更されることを特徴とする、
請求項９２又は９４乃至１００の何れか一に記載の水中に生息する鮫等の人的被害或いは食害を齎す生物を忌避する装置の使用方法。
【請求項１０４】
該海中に放電される放電電圧或いは放電電流のパターンは、
そのパルス幅が０.１秒以上１秒以内であることを特徴とする、
請求項９２又は９４乃至１００の何れか一に記載の水中に生息する鮫等の人的被害或いは食害を齎す生物を忌避する装置の使用方法。
【請求項１０５】
該海中に放電される放電電圧或いは放電電流のパターンは、
そのパルス幅が０.２秒以上０.７秒以内であることを特徴とする、
請求項１０４記載の水中に生息する鮫等の人的被害或いは食害を齎す生物を忌避する装置の使用方法。
【請求項１０６】
該海中に放電される放電電圧或いは放電電流のパターンは、
その周期が０.５秒以上５秒以内であり、且つ、放電パルス幅の２倍以上であることを特徴とする、
請求項９２又は９４乃至１０５の何れか一に記載の水中に生息する鮫等の人的被害或いは食害を齎す生物を忌避する装置の使用方法。
【請求項１０７】
該海中に放電される放電電圧或いは放電電流のパターンは、
その周期が１秒以上４秒以内であり、且つ、放電パルス幅の２倍以上であることを特徴とする、
請求項１０６記載の水中に生息する鮫等の人的被害或いは食害を齎す生物を忌避する装置の使用方法。
【請求項１０８】
該チューブ状部材は透光性を有し、
且つ、回路上に発光素子を備え、
該発光素子の発光により内部状態を確認可能であることを特徴とする、
請求項７７乃至１０７の何れか一に記載の水中に生息する鮫等の人的被害或いは食害を齎す生物を忌避する装置の使用方法。
【請求項１０９】
該発光素子は、
ＬＥＤ素子であることを特徴とする、
請求項１０８記載の水中に生息する鮫等の人的被害或いは食害を齎す生物を忌避する装置の使用方法。
【請求項１１０】
該発光素子は、
ＬＥＤ素子であって、非常時に位置を知らせるための機能を兼ねることを特徴とする、
請求項１０９記載の水中に生息する鮫等の人的被害或いは食害を齎す生物を忌避する装置の使用方法。
【請求項１１１】
該電源装置により供給される電圧は、
３V以上３０V以下であることを特徴とする、
請求項７７乃至１１０の何れか一に記載の水中に生息する鮫等の人的被害或いは食害を齎す生物を忌避する装置の使用方法。
【請求項１１２】
該電源装置により供給されるパルス電圧或いはパルス電流は、
非常時に位置を知らせる信号を兼ねるように設定されていることを特徴とする、
請求項９１乃至１１１の何れか一に記載の水中に生息する鮫等の人的被害或いは食害を齎す生物を忌避する装置の使用方法。
【請求項１１３】
該電極間に電圧を印加するための電源装置により供給されるパルス電圧或いはパルス電流は、
モールス信号を兼ねるように設定されていることを特徴とする、
請求項１１２記載の水中に生息する鮫等の人的被害或いは食害を齎す生物を忌避する装置の使用方法。
【請求項１１４】
該電極間に電圧を印加するための電源装置からの通電をオンオフするスイッチは、
該チューブ状部材を連接するためのジョイントが連接されることによりオンとなる構成であることを特徴とする、
請求項７７乃至１１４の何れか一に記載の水中に生息する鮫等の人的被害或いは食害を齎す生物を忌避する装置の使用方法。
【請求項１１５】
該電極間に電圧を印加するための電源装置からの通電をオンオフするスイッチは、
水中に投入された場合にセンサーが反応してオンとなる構成であることを特徴とする、
請求項７７乃至１１３の何れか一に記載の水中に生息する鮫等の人的被害或いは食害を齎す生物を忌避する装置の使用方法。
【請求項１１６】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項７９乃至１１５の何れか一に記載の水中に生息する鮫等の人的被害或いは食害を齎す生物を忌避する装置の使用方法。
【請求項１１７】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項７７乃至１１６の何れか一に記載の水中に生息する鮫等の人的被害或いは食害を齎す生物を忌避する装置の使用方法。
【請求項１１８】
水中に生息する鮫等の人的被害或いは食害を齎す生物を忌避する装置の使用方法であって、
防水性を持つ部材に封入された電源装置と、
該防水性を持つ部材の外面の一部或いは全部に設けられた電極と、
該防水性を持つ部材から延伸する対向電極を備えた紐状の部材と、
該電源装置からの通電をオンオフするスイッチを備え、
水中に投入、身体や装具に装着或いはレジャー器具等に装備して該電極間に電圧及び／又は電流を印加することにより、
特定の生物を忌避することを特徴とする、
水中に生息する鮫等の人的被害或いは食害を齎す生物を忌避する装置の使用方法。
【請求項１１９】
水中に生息する鮫等の人的被害或いは食害を齎す生物を忌避する装置の使用方法であって、
防水性を持つ部材に封入された電源装置と、
該防水性を持つ部材の外面の一部に設けられた電極と、
該防水性を持つ部材の外面の他の一部に設けられた対向電極と、
該電源装置からの通電をオンオフするスイッチを備え、
水中に投入、身体や装具に装着或いはレジャー器具等に装備して該電極間に電圧及び／又は電流を印加することにより、
特定の生物を忌避することを特徴とする、
水中に生息する鮫等の人的被害或いは食害を齎す生物を忌避する装置の使用方法。
【請求項１２０】
該水中に生息する鮫等の人的被害或いは食害を齎す生物を忌避する装置の使用方法に於いて、
該電源装置はモールド剤によって封入されてなり、
水中に投入した場合にも水に接触しないことを特徴とする、
請求項１１８又は１１９記載の水中に生息する鮫等の人的被害或いは食害を齎す生物を忌避する装置の使用方法。
【請求項１２１】
該防水性を持つ部材に用いられる材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項１１８乃至１２０の何れか一に記載の水中に生息する鮫等の人的被害或いは食害を齎す生物を忌避する装置の使用方法。
【請求項１２２】
該モールド剤は、
内部に封入された電源装置との間に気泡或いは空隙を残さないように注入形成されたことを特徴とする、
請求項１１８乃至１２１の何れか一に記載の水中に生息する鮫等の人的被害或いは食害を齎す生物を忌避する装置の使用方法。
【請求項１２３】
該防水性を持つ部材に用いられる材料は、
射出成形により形成されたことを特徴とする、
請求項１１８乃至１２１の何れか一に記載の水中に生息する鮫等の人的被害或いは食害を齎す生物を忌避する装置の使用方法。
【請求項１２４】
該電源装置から延伸する対向電極を備えた紐状の部材の長さは、
３０ｃｍ以上３ｍ以下であることを特徴とする、
請求項１１８、又は、１２０乃至１２３の何れか一に記載の水中に生息する鮫等の人的被害或いは食害を齎す生物を忌避する装置の使用方法。
【請求項１２５】
該電源装置から延伸する対向電極を備えた紐状の部材の長さは、
５０ｃｍ以上２m以下であることを特徴とする、
請求項１２４記載の水中に生息する鮫等の人的被害或いは食害を齎す生物を忌避する装置の使用方法。
【請求項１２６】
該電極間に電圧を印加するための電源装置は、
電池を含んでなることを特徴とする、
請求項１１８乃至１２５の何れか一に記載の水中に生息する鮫等の人的被害或いは食害を齎す生物を忌避する装置の使用方法。
【請求項１２７】
該電池は、
乾電池、ボタン型電池或いは充放電が可能な蓄電池であることを特徴とする、
請求項１２６記載の水中に生息する鮫等の人的被害或いは食害を齎す生物を忌避する装置の使用方法。
【請求項１２８】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項１１８乃至１２７の何れか一に記載の水中に生息する鮫等の人的被害或いは食害を齎す生物を忌避する装置の使用方法。
【請求項１２９】
該海中に放電される放電電圧は、
パルス電圧であることを特徴とする、
請求項１２８記載の水中に生息する鮫等の人的被害或いは食害を齎す生物を忌避する装置の使用方法。
【請求項１３０】
該水中に生息する鮫等の人的被害或いは食害を齎す生物を忌避する装置であって、
該装置に含まれる電源装置は水中での電磁界を制御するため、放電電流を海中に出力することを特徴とする、
請求項１１８乃至１２７の何れか一に記載の水中に生息する鮫等の人的被害或いは食害を齎す生物を忌避する装置の使用方法。
【請求項１３１】
該海中に放電される放電電流は、
パルス電流であることを特徴とする、
請求項１３０記載の水中に生息する鮫等の人的被害或いは食害を齎す生物を忌避する装置の使用方法。
【請求項１３２】
該海中に放電される放電電圧或いは放電電流は、
そのパターンを変更することが可能であることを特徴とする、
請求項１２８乃至１３１の何れか一に記載の水中に生息する鮫等の人的被害或いは食害を齎す生物を忌避する装置の使用方法。
【請求項１３３】
該海中に放電される放電電圧或いは放電電流は、
そのパターンを変更することが可能であって、
且つ、使用時にフィールドでパターン変更が可能であることを特徴とする、
請求項１３２記載の水中に生息する鮫等の人的被害或いは食害を齎す生物を忌避する装置の使用方法。
【請求項１３４】
該パターン変更機能は、
再プログラムできる機能を搭載することにより行われることを特徴とする、
請求項１３３記載の水中に生息する鮫等の人的被害或いは食害を齎す生物を忌避する装置の使用方法。
【請求項１３５】
該パターン変更機能は、
プログラマブルハードウェアを搭載することにより行われることを特徴とする、
請求項１３３記載の水中に生息する鮫等の人的被害或いは食害を齎す生物を忌避する装置の使用方法。
【請求項１３６】
該パターン変更機能は、
マイコン及び記録されるソフトウェアを搭載し、プログラムを書き換えることにより行われることを特徴とする、
請求項１３５記載の水中に生息する鮫等の人的被害或いは食害を齎す生物を忌避する装置の使用方法。
【請求項１３７】
該海中に放電される放電電圧或いは放電電流は、
チャージポンプ或いはＤＣーＤＣコンバータにより生成されることを特徴とする、
請求項１２８乃至１３６の何れか一に記載の水中に生息する鮫等の人的被害或いは食害を齎す生物を忌避する装置の使用方法。
【請求項１３８】
該海中に放電される放電電圧或いは放電電流のパターンは、
そのパルス幅及び／又は周期が制御されることを特徴とする、
請求項１２８又は１３０乃至１３７の何れか一に記載の水中に生息する鮫等の人的被害或いは食害を齎す生物を忌避する装置の使用方法。
【請求項１３９】
該海中に放電される放電電圧或いは放電電流のパターンは、
そのパルス幅及び／又は周期が変更可能であることを特徴とする、
請求項１２８又は１３０乃至１３７の何れか一に記載の水中に生息する鮫等の人的被害或いは食害を齎す生物を忌避する装置の使用方法。
【請求項１４０】
該海中に放電される放電電圧或いは放電電流のパターンは、
そのパルス幅及び／又は周期がランダムに変更されることを特徴とする、
請求項１２８又は１３０乃至１３７の何れか一に記載の水中に生息する鮫等の人的被害或いは食害を齎す生物を忌避する装置の使用方法。
【請求項１４１】
該海中に放電される放電電圧或いは放電電流のパターンは、
そのパルス幅が０.１秒以上１秒以内であることを特徴とする、
請求項１２８又は１３０乃至１４０の何れか一に記載の水中に生息する鮫等の人的被害或いは食害を齎す生物を忌避する装置の使用方法。
【請求項１４２】
該海中に放電される放電電圧或いは放電電流のパターンは、
そのパルス幅が０.２秒以上０.７秒以内であることを特徴とする、
請求項１４１記載の水中に生息する鮫等の人的被害或いは食害を齎す生物を忌避する装置の使用方法。
【請求項１４３】
該海中に放電される放電電圧或いは放電電流のパターンは、
その周期が０.５秒以上５秒以内であり、且つ、放電パルス幅の２倍以上であることを特徴とする、
請求項１２８又は１３０乃至１４２の何れか一に記載の水中に生息する鮫等の人的被害或いは食害を齎す生物を忌避する装置の使用方法。
【請求項１４４】
該海中に放電される放電電圧或いは放電電流のパターンは、
その周期が１秒以上４秒以内であり、且つ、放電パルス幅の２倍以上であることを特徴とする、
請求項１４３記載の水中に生息する鮫等の人的被害或いは食害を齎す生物を忌避する装置の使用方法。
【請求項１４５】
該電極間に電圧を印加するための電源装置により供給されるパルス電圧或いはパルス電流は、
モールス信号を兼ねるように設定されていることを特徴とする、
請求項１４４記載の水中に生息する鮫等の人的被害或いは食害を齎す生物を忌避する装置の使用方法。
【請求項１４６】
該電源装置からの通電をオンオフするスイッチは、
水中に投入された場合にセンサーが反応してオンとなる構成であることを特徴とする、
請求項１１８乃至１４５の何れか一に記載の水中に生息する鮫等の人的被害或いは食害を齎す生物を忌避する装置の使用方法。
【請求項１４７】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項１１８乃至１４６の何れか一に記載の水中に生息する鮫等の人的被害或いは食害を齎す生物を忌避する装置の使用方法。
【請求項１４８】
該防水性を持つ部材及びモールド部材は透光性を有し、
且つ、回路上に発光素子を備え、
該発光素子の発光により内部状態を確認可能であることを特徴とする、
請求項１１８乃至１４７の何れか一に記載の水中に生息する鮫等の人的被害或いは食害を齎す生物を忌避する装置の使用方法。
【請求項１４９】
該発光素子は、
ＬＥＤ素子であることを特徴とする、
請求項１４８記載の水中に生息する鮫等の人的被害或いは食害を齎す生物を忌避する装置の使用方法。
【請求項１５０】
該発光素子は、
ＬＥＤ素子であって、非常時に位置を知らせるための機能を兼ねることを特徴とする、
請求項１４９記載の水中に生息する鮫等の人的被害或いは食害を齎す生物を忌避する装置の使用方法。
【請求項１５１】
該防水性を持つ部材は、
一端が略ドーム形に成形された略円筒形をなし、
釣具、漁具等とともに用い、或いは身体、ウェットスーツ、ライフジャケット、マリンレジャー用器具等に装着して用いることを特徴とする、
請求項１１８乃至１５０の何れか一に記載の水中に生息する鮫等の人的被害或いは食害を齎す生物を忌避する装置の使用方法。
【請求項１５２】
該防水性を持つ部材は、
円盤状に成形され且つベルトを備え、
マリンレジャーの際に腕時計のように装着して用いることを特徴とする、
請求項１１８乃至１５０の何れか一に記載の水中に生息する鮫等の人的被害或いは食害を齎す生物を忌避する装置の使用方法。
【発明の詳細な説明】
【技術分野】
【０００１】
本発明は、水中に生息する鮫等の人的被害或いは食害を齎す生物を忌避する装置及びその使用方法に関するものである。
【背景技術】
【０００２】
マグロ等の魚類の釣りの際、鮫等による食害は非常に頻度が高く、問題となっていた。レジャーとしての釣りに於いても、鮫等による食害は興趣を削ぎ、その価値を低下させる原因となっていた。
【０００３】
また、サーフィン等の海洋レジャー時の鮫等による人的被害も甚大であり、対策が求められていた。
【０００４】
これに対し、漁業分野では食害に対するさまざまな対策が講じられている。魚類、特に鮫など食害の頻度が高い軟骨魚類は頭部に電流を感知する感覚器官を有し、これを用いて捕食対象を捕捉する一助としている。ただし、かかる器官を有しているため電流に対しては非常に敏感であり、これを利用した忌避装置が提案されている。
【０００５】
例えば、マグロの一本釣り漁等では道糸に予め装備された電撃用の機器が用いられており、マグロが針にかかるとこれを投入し、船上からの給電によって数百ボルトの電撃を加えてマグロの活動を止めるとともに鮫等の食害を防止することが行われている。
【先行技術文献】
【特許文献】
【０００６】
【特許文献１】特開２００６ー１４９２７５号公報
【特許文献２】特開２０１３ー１６９１７０号公報
【発明の概要】
【発明が解決しようとする課題】
【０００７】
しかし、レジャーとしての釣りの場合、前記のような電撃装置を準備することはほとんど不可能であるばかりでなく、高電圧を海水中で用いることの危険性もあり、一般には用いられなかった。
【０００８】
同様に、高電圧を用いない対策も検討されている。特許文献１或いは特許文献２では、漁業用の食害忌避装置が開示されている。特許文献１では、はえ縄漁に於いて電流により鮫を忌避する方法が開示され、特許文献２では天秤の両端に電極を設け、錘の中に電源（電池）を内蔵して電流を流し、鮫等の食害を忌避する態様が開示されている。
【０００９】
しかし、簡便な構成でレジャーとしての釣りに於いても使用可能で、マグロ等の魚類の釣りの際の食害を忌避することの出来る装置は存在せず、これに対するニーズは大きかった。
【００１０】
さらに、簡便な構成でサーフィン等の海洋レジャー時に於いても使用可能で、鮫等による人的被害を忌避することの出来る装置は存在していない。かかる装置は人命を守るために有効であり、その効果は非常に大きい。
【課題を解決するための手段】
【００１１】
本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電源装置からの通電をオンオフするスイッチと、該チューブ状部材を輪状に連接するジョイント部材を備え、水中に投入して該電極間に電圧及び／又は電流を印加することにより、水中に生息する鮫等の人的被害或いは食害を齎す生物を忌避する装置であり、その使用方法である。
【００１２】
また本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部に設けられた電極と、該チューブ状部材の外面の他の一部に設けられた対向電極と、該電源装置からの通電をオンオフするスイッチと、該チューブ状部材を輪状に連接するジョイント部材を備え、水中に投入して該電極間に電圧及び／又は電流を印加することにより、水中に生息する鮫等の人的被害或いは食害を齎す生物を忌避する装置であり、その使用方法である。
【００１３】
また本発明は、該装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することを特徴とする。
【００１４】
また本発明は、該チューブ状部材に用いる粘弾性を有する材料として、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００１５】
また本発明は、該チューブ状部材を輪状に連接した状態での輪の大きさが１０ｃｍ以上６０ｃｍ以下であることを特徴とする。さらに本発明に於いては、該チューブ状部材を輪状に連接した状態での輪の大きさが１５ｃｍ以上４０ｃｍ以下であることが望ましい。
【００１６】
また本発明は、該チューブ状部材を連接するためのジョイントが、両端が相互に嵌合する構造としたことにより為されることを特徴とする。さらに本発明に於いては、該チューブ状部材を連接するためのジョイントとして、ワンタッチジョイントが好適に用いられる。
【００１７】
また本発明は、該チューブ状部材を連接するためのジョイントが、磁石により接合するする構造としたことにより為されることを特徴とする。さらに本発明に於いては、該チューブ状部材を連接するためのジョイントに用いられる磁石はとして、ネオジム磁石が好適に用いられる。
【００１８】
また本発明は、該チューブ状部材から延伸する対向電極を備えた紐状の部材の長さが、３０ｃｍ以上３ｍ以下であることを特徴とする。さらに本発明に於いては、該チューブ状部材から延伸する対向電極を備えた紐状の部材の長さが、５０ｃｍ以上２m以下であることが望ましい。
【００１９】
また本発明は、該電極間に電圧を印加するための電源装置が、電池を含んでなることを特徴とする。さらに本発明に於いては、該電池として乾電池、ボタン型電池或いは充放電が可能な蓄電池が好適に用いられる。
【００２０】
また本発明は、該装置に含まれる電源装置が、水中での電磁界を制御するため、放電電圧を準備し、海中に放電することを特徴とする。さらに本発明に於いては、該海中に放電される放電電圧が、パルス電圧であることを特徴とする。
【００２１】
また本発明は、該装置に含まれる電源装置が、水中での電磁界を制御するため、放電電流を海中に出力することを特徴とする。さらに本発明に於いては、該海中に放電される放電電圧が、パルス電流であることを特徴とする。
【００２２】
また本発明は、該海中に放電される放電電圧或いは放電電流が、そのパターンを変更することが可能であることを特徴とする。さらに本発明に於いては、該海中に放電される放電電圧或いは放電電流がそのパターンを変更することが可能であって、且つ、使用時にフィールドでパターン変更が可能であることを特徴とする。
【００２３】
また本発明は、該パターン変更機能が、再プログラムできる機能を搭載することにより行われることを特徴とする。
【００２４】
また本発明は、該パターン変更機能が、プログラマブルハードウェアを搭載することにより行われることを特徴とする。
【００２５】
また本発明は、該パターン変更機能が、マイコン及び記録されるソフトウェアを搭載し、プログラムを書き換えることにより行われることを特徴とする。
【００２６】
また本発明は、該海中に放電される放電電圧或いは放電電流が、チャージポンプ或いはＤＣーＤＣコンバータにより生成されることを特徴とする。或いは本発明は、該海中に放電される放電電圧或いは放電電流のパターンが、そのパルス幅及び／又は周期が制御されることを特徴とする。
【００２７】
また本発明は、該海中に放電される放電電圧或いは放電電流のパターンが、そのパルス幅及び／又は周期が変更可能であることを特徴とする。
【００２８】
また本発明は、該海中に放電される放電電圧或いは放電電流のパターンが、そのパルス幅及び／又は周期がランダムに変更されることを特徴とする。
【００２９】
また本発明は、該海中に放電される放電電圧或いは放電電流のパターンが、そのパルス幅が０.２秒以上０.７秒以内であることを特徴とする。さらに本発明に於いては、該海中に放電される放電電圧或いは放電電流のパターンの周期が０.５秒以上５秒以内であり、且つ、放電パルス幅の２倍以上であることが望ましく、該海中に放電される放電電圧或いは放電電流のパターンの周期が１秒以上４秒以内であり、且つ、放電パルス幅の２倍以上であることがさらに望ましい。
【００３０】
また本発明は、該チューブ状部材が透光性を有し、且つ、回路上に発光素子を備え、該発光素子の発光により内部状態を確認可能であることを特徴とする。該発光素子としてはＬＥＤ素子が好適に用いられる。さらに本発明に於いては、該発光素子がＬＥＤ素子であって、非常時に位置を知らせるための機能を兼ねることを特徴とする。
【００３１】
また本発明は、該電源装置により供給される電圧が、３V以上３０V以下であることを特徴とする。
【００３２】
また本発明は、該電源装置により供給されるパルス電圧或いはパルス電流が、非常時に位置を知らせる信号を兼ねるように設定されていることを特徴とする。さらに本発明に於いては、該電極間に電圧を印加するための電源装置により供給されるパルス電圧或いはパルス電流が、モールス信号を兼ねるように設定されていることを特徴とする。
【００３３】
また本発明は、該電極間に電圧を印加するための電源装置からの通電をオンオフするスイッチが、該チューブ状部材を連接するためのジョイントが連接されることによりオンとなる構成であることを特徴とする。
【００３４】
また本発明は、該電極間に電圧を印加するための電源装置からの通電をオンオフするスイッチが、水中に投入された場合にセンサーが反応してオンとなる構成であることを特徴とする。
【００３５】
また本発明は、該装置をマグロ等の魚類の釣りの際の食害を忌避するために用いるにあたり、該チューブ状部材を輪状に連接した本体は、投入後に対象魚の頭部に嵌ることにより鰓蓋の動きを制限し、対象魚の活動を規制することを特徴とする。
【００３６】
また本発明は、該装置をサーフィン、ダイビング、スノーケリング海水浴等の海洋レジャー時の鮫等による人的被害を忌避するために用いるにあたり、該装置は使用者の腕、脚等に装着、救命胴衣やウェットスーツ等の装備に装着或いはサーフボード等の器具に設置して用いることを特徴とする。
【００３７】
本発明は、水中に生息する鮫等の人的被害或いは食害を齎す生物を忌避する装置に於いて、防水性を持つ部材に封入された電源装置と、該防水性を持つ部材の外面の一部或いは全部に設けられた電極と、該防水性を持つ部材から延伸する対向電極を備えた紐状の部材と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【００３８】
また本発明は、水中に生息する鮫等の人的被害或いは食害を齎す生物を忌避する装置に於いて、防水性を持つ部材に封入された電源装置と、該防水性を持つ部材の外面の一部に設けられた電極と、該防水性を持つ部材の外面の他の一部に設けられた対向電極と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【００３９】
また本発明は、該水中に生息する鮫等の人的被害或いは食害を齎す生物を忌避する装置に於いて、該電源装置はモールド剤によって封入されてなり、水中に投入した場合にも水に接触しないことを特徴とする。
【００４０】
また本発明は、該チューブ状部材に用いる粘弾性を有する材料として、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００４１】
また本発明は、該モールド剤が、内部に封入された電源装置との間に気泡或いは空隙を残さないように注入形成されたことを特徴とする。
【００４２】
また本発明は、該防水性を持つ部材に用いられる材料が、射出成形により形成されたことを特徴とする。
【００４３】
また本発明は、該チューブ状部材から延伸する対向電極を備えた紐状の部材の長さが、３０ｃｍ以上３ｍ以下であることを特徴とする。さらに本発明に於いては、該チューブ状部材から延伸する対向電極を備えた紐状の部材の長さが、５０ｃｍ以上２m以下であることが望ましい。
【００４４】
また本発明は、該電極間に電圧を印加するための電源装置が、電池を含んでなることを特徴とする。さらに本発明に於いては、該電池として乾電池、ボタン型電池或いは充放電が可能な蓄電池が好適に用いられる。
【００４５】
また本発明は、該装置に含まれる電源装置が、水中での電磁界を制御するため、放電電圧を準備し、海中に放電することを特徴とする。さらに本発明に於いては、該海中に放電される放電電圧が、パルス電圧であることを特徴とする。
【００４６】
また本発明は、該装置に含まれる電源装置が、水中での電磁界を制御するため、放電電流を海中に出力することを特徴とする。さらに本発明に於いては、該海中に放電される放電電圧が、パルス電流であることを特徴とする。
【００４７】
また本発明は、該海中に放電される放電電圧或いは放電電流が、そのパターンを変更することが可能であることを特徴とする。さらに本発明に於いては、該海中に放電される放電電圧或いは放電電流がそのパターンを変更することが可能であって、且つ、使用時にフィールドでパターン変更が可能であることを特徴とする。
【００４８】
また本発明は、該パターン変更機能が、再プログラムできる機能を搭載することにより行われることを特徴とする。
【００４９】
また本発明は、該パターン変更機能が、プログラマブルハードウェアを搭載することにより行われることを特徴とする。
【００５０】
また本発明は、該パターン変更機能が、マイコン及び記録されるソフトウェアを搭載し、プログラムを書き換えることにより行われることを特徴とする。
【００５１】
また本発明は、該海中に放電される放電電圧或いは放電電流が、チャージポンプ或いはＤＣーＤＣコンバータにより生成されることを特徴とする。或いは本発明は、該海中に放電される放電電圧或いは放電電流のパターンが、そのパルス幅及び／又は周期が制御されることを特徴とする。
【００５２】
また本発明は、該海中に放電される放電電圧或いは放電電流のパターンが、そのパルス幅及び／又は周期が変更可能であることを特徴とする。
【００５３】
また本発明は、該海中に放電される放電電圧或いは放電電流のパターンが、そのパルス幅及び／又は周期がランダムに変更されることを特徴とする。
【００５４】
また本発明は、該海中に放電される放電電圧或いは放電電流のパターンが、そのパルス幅が０.２秒以上０.７秒以内であることを特徴とする。さらに本発明に於いては、該海中に放電される放電電圧或いは放電電流のパターンの周期が０.５秒以上５秒以内であり、且つ、放電パルス幅の２倍以上であることが望ましく、該海中に放電される放電電圧或いは放電電流のパターンの周期が１秒以上４秒以内であり、且つ、放電パルス幅の２倍以上であることがさらに望ましい。
【００５５】
また本発明は、該電源装置により供給されるパルス電圧或いはパルス電流が、非常時に位置を知らせる信号を兼ねるように設定されていることを特徴とする。さらに本発明に於いては、該電極間に電圧を印加するための電源装置により供給されるパルス電圧或いはパルス電流が、モールス信号を兼ねるように設定されていることを特徴とする。
【００５６】
また本発明は、該電源装置からの通電をオンオフするスイッチが、水中に投入された場合にセンサーが反応してオンとなる構成であることを特徴とする。
【００５７】
また本発明は、該装置をサーフィン、ダイビング、スノーケリング海水浴等の海洋レジャー時の鮫等による人的被害を忌避するために用いるにあたり、該装置は使用者の腕、脚等に装着、救命胴衣やウェットスーツ等の装備に装着或いはサーフボード等の器具に設置して用いることを特徴とする。
【００５８】
また本発明は、該防水性を持つ部材及びモールド部材が透光性を有し、且つ、回路上に発光素子を備え、該発光素子の発光により内部状態を確認可能であることを特徴とする。該発光素子としてはＬＥＤ素子が好適に用いられる。さらに本発明に於いては、該発光素子がＬＥＤ素子であって、非常時に位置を知らせるための機能を兼ねることを特徴とする。
【００５９】
また本発明は、該防水性を持つ部材が、一端が略ドーム形に成形された略円筒形をなし、釣具、漁具等とともに用い、或いは身体、ウェットスーツ、ライフジャケット、マリンレジャー用器具等に装着して用いることを特徴とする。また本発明は、該防水性を持つ部材が、円盤状に成形され且つベルトを備え、マリンレジャーの際に腕時計のように装着して用いることを特徴とする。
【発明の効果】
【００６０】
本発明に係る、水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効であり、もって社会に資することが出来る。
【図面の簡単な説明】
【００６１】
【図１】図１は、本発明に係る装置の、実施形態の一例を説明するための図面代用写真である。
【図２】図２は、本発明に係る装置の、電源部の構成を示す図面代用写真である。
【図３】図３は、本発明に係る装置の、ジョイント部の一例の形態を説明するための図面代用写真である。
【図４】図４は、本発明に係る装置の、使用形態の一例を説明するための図面代用写真である。
【図５】図５は、本発明に係る装置の、実施形態の他の例を説明するための図面代用写真である。
【図６】図６は、本発明に係る装置の、実施形態の他の例を説明するための図面代用写真である。
【発明を実施するための形態】
【００６２】
本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電源装置からの通電をオンオフするスイッチと、該チューブ状部材を輪状に連接するジョイント部材を備え、水中に投入して該電極間に電圧及び／又は電流を印加することにより、水中に生息する鮫等の人的被害或いは食害を齎す生物を忌避する装置であり、その使用方法である。
【００６３】
また本発明は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部に設けられた電極と、該チューブ状部材の外面の他の一部に設けられた対向電極と、該電源装置からの通電をオンオフするスイッチと、該チューブ状部材を輪状に連接するジョイント部材を備え、水中に投入して該電極間に電圧及び／又は電流を印加することにより、水中に生息する鮫等の人的被害或いは食害を齎す生物を忌避する装置であり、その使用方法である。
【００６４】
また本発明は、該装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することを特徴とする。
【００６５】
また本発明は、該チューブ状部材に用いる粘弾性を有する材料として、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００６６】
また本発明は、該チューブ状部材を輪状に連接した状態での輪の大きさが１０ｃｍ以上６０ｃｍ以下であることを特徴とする。さらに本発明に於いては、該チューブ状部材を輪状に連接した状態での輪の大きさが１５ｃｍ以上４０ｃｍ以下であることが望ましい。
【００６７】
また本発明は、該チューブ状部材を連接するためのジョイントが、両端が相互に嵌合する構造としたことにより為されることを特徴とする。さらに本発明に於いては、該チューブ状部材を連接するためのジョイントとして、ワンタッチジョイントが好適に用いられる。
【００６８】
また本発明は、該チューブ状部材を連接するためのジョイントが、磁石により接合するする構造としたことにより為されることを特徴とする。さらに本発明に於いては、該チューブ状部材を連接するためのジョイントに用いられる磁石はとして、ネオジム磁石が好適に用いられる。
【００６９】
また本発明は、該チューブ状部材から延伸する対向電極を備えた紐状の部材の長さが、３０ｃｍ以上３ｍ以下であることを特徴とする。さらに本発明に於いては、該チューブ状部材から延伸する対向電極を備えた紐状の部材の長さが、５０ｃｍ以上２m以下であることが望ましい。
【００７０】
また本発明は、該電極間に電圧を印加するための電源装置が、電池を含んでなることを特徴とする。さらに本発明に於いては、該電池として乾電池、ボタン型電池或いは充放電が可能な蓄電池が好適に用いられる。
【００７１】
また本発明は、該装置に含まれる電源装置が、水中での電磁界を制御するため、放電電圧を準備し、海中に放電することを特徴とする。さらに本発明に於いては、該海中に放電される放電電圧が、パルス電圧であることを特徴とする。
【００７２】
また本発明は、該装置に含まれる電源装置が、水中での電磁界を制御するため、放電電流を海中に出力することを特徴とする。さらに本発明に於いては、該海中に放電される放電電圧が、パルス電流であることを特徴とする。
【００７３】
また本発明は、該海中に放電される放電電圧或いは放電電流が、そのパターンを変更することが可能であることを特徴とする。さらに本発明に於いては、該海中に放電される放電電圧或いは放電電流がそのパターンを変更することが可能であって、且つ、使用時にフィールドでパターン変更が可能であることを特徴とする。
【００７４】
また本発明は、該パターン変更機能が、再プログラムできる機能を搭載することにより行われることを特徴とする。
【００７５】
また本発明は、該パターン変更機能が、プログラマブルハードウェアを搭載することにより行われることを特徴とする。
【００７６】
また本発明は、該パターン変更機能が、マイコン及び記録されるソフトウェアを搭載し、プログラムを書き換えることにより行われることを特徴とする。
【００７７】
また本発明は、該海中に放電される放電電圧或いは放電電流が、チャージポンプ或いはＤＣーＤＣコンバータにより生成されることを特徴とする。或いは本発明は、該海中に放電される放電電圧或いは放電電流のパターンが、そのパルス幅及び／又は周期が制御されることを特徴とする。
【００７８】
また本発明は、該海中に放電される放電電圧或いは放電電流のパターンが、そのパルス幅及び／又は周期が変更可能であることを特徴とする。
【００７９】
また本発明は、該海中に放電される放電電圧或いは放電電流のパターンが、そのパルス幅及び／又は周期がランダムに変更されることを特徴とする。
【００８０】
また本発明は、該海中に放電される放電電圧或いは放電電流のパターンが、そのパルス幅が０.２秒以上０.７秒以内であることを特徴とする。さらに本発明に於いては、該海中に放電される放電電圧或いは放電電流のパターンの周期が０.５秒以上５秒以内であり、且つ、放電パルス幅の２倍以上であることが望ましく、該海中に放電される放電電圧或いは放電電流のパターンの周期が１秒以上４秒以内であり、且つ、放電パルス幅の２倍以上であることがさらに望ましい。
【００８１】
また本発明は、該チューブ状部材が透光性を有し、且つ、回路上に発光素子を備え、該発光素子の発光により内部状態を確認可能であることを特徴とする。該発光素子としてはＬＥＤ素子が好適に用いられる。さらに本発明に於いては、該発光素子がＬＥＤ素子であって、非常時に位置を知らせるための機能を兼ねることを特徴とする。
【００８２】
また本発明は、該電源装置により供給される電圧が、３V以上３０V以下であることを特徴とする。
【００８３】
また本発明は、該電源装置により供給されるパルス電圧或いはパルス電流が、非常時に位置を知らせる信号を兼ねるように設定されていることを特徴とする。さらに本発明に於いては、該電極間に電圧を印加するための電源装置により供給されるパルス電圧或いはパルス電流が、モールス信号を兼ねるように設定されていることを特徴とする。
【００８４】
また本発明は、該電極間に電圧を印加するための電源装置からの通電をオンオフするスイッチが、該チューブ状部材を連接するためのジョイントが連接されることによりオンとなる構成であることを特徴とする。
【００８５】
また本発明は、該電極間に電圧を印加するための電源装置からの通電をオンオフするスイッチが、水中に投入された場合にセンサーが反応してオンとなる構成であることを特徴とする。
【００８６】
また本発明は、該装置をマグロ等の魚類の釣りの際の食害を忌避するために用いるにあたり、該チューブ状部材を輪状に連接した本体は、投入後に対象魚の頭部に嵌ることにより鰓蓋の動きを制限し、対象魚の活動を規制することを特徴とする。
【００８７】
また本発明は、該装置をサーフィン、ダイビング、スノーケリング海水浴等の海洋レジャー時の鮫等による人的被害を忌避するために用いるにあたり、該装置は使用者の腕、脚等に装着、救命胴衣やウェットスーツ等の装備に装着或いはサーフボード等の器具に設置して用いることを特徴とする。
【００８８】
本発明は、水中に生息する鮫等の人的被害或いは食害を齎す生物を忌避する装置に於いて、防水性を持つ部材に封入された電源装置と、該防水性を持つ部材の外面の一部或いは全部に設けられた電極と、該防水性を持つ部材から延伸する対向電極を備えた紐状の部材と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【００８９】
また本発明は、水中に生息する鮫等の人的被害或いは食害を齎す生物を忌避する装置に於いて、防水性を持つ部材に封入された電源装置と、該防水性を持つ部材の外面の一部に設けられた電極と、該防水性を持つ部材の外面の他の一部に設けられた対向電極と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【００９０】
また本発明は、該水中に生息する鮫等の人的被害或いは食害を齎す生物を忌避する装置に於いて、該電源装置はモールド剤によって封入されてなり、水中に投入した場合にも水に接触しないことを特徴とする。
【００９１】
また本発明は、該チューブ状部材に用いる粘弾性を有する材料として、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする。
【００９２】
また本発明は、該モールド剤が、内部に封入された電源装置との間に気泡或いは空隙を残さないように注入形成されたことを特徴とする。
【００９３】
また本発明は、該防水性を持つ部材に用いられる材料が、射出成形により形成されたことを特徴とする。
【００９４】
また本発明は、該チューブ状部材から延伸する対向電極を備えた紐状の部材の長さが、３０ｃｍ以上３ｍ以下であることを特徴とする。さらに本発明に於いては、該チューブ状部材から延伸する対向電極を備えた紐状の部材の長さが、５０ｃｍ以上２m以下であることが望ましい。
【００９５】
また本発明は、該電極間に電圧を印加するための電源装置が、電池を含んでなることを特徴とする。さらに本発明に於いては、該電池として乾電池、ボタン型電池或いは充放電が可能な蓄電池が好適に用いられる。
【００９６】
また本発明は、該装置に含まれる電源装置が、水中での電磁界を制御するため、放電電圧を準備し、海中に放電することを特徴とする。さらに本発明に於いては、該海中に放電される放電電圧が、パルス電圧であることを特徴とする。
【００９７】
また本発明は、該装置に含まれる電源装置が、水中での電磁界を制御するため、放電電流を海中に出力することを特徴とする。さらに本発明に於いては、該海中に放電される放電電圧が、パルス電流であることを特徴とする。
【００９８】
また本発明は、該海中に放電される放電電圧或いは放電電流が、そのパターンを変更することが可能であることを特徴とする。さらに本発明に於いては、該海中に放電される放電電圧或いは放電電流がそのパターンを変更することが可能であって、且つ、使用時にフィールドでパターン変更が可能であることを特徴とする。
【００９９】
また本発明は、該パターン変更機能が、再プログラムできる機能を搭載することにより行われることを特徴とする。
【０１００】
また本発明は、該パターン変更機能が、プログラマブルハードウェアを搭載することにより行われることを特徴とする。
【０１０１】
また本発明は、該パターン変更機能が、マイコン及び記録されるソフトウェアを搭載し、プログラムを書き換えることにより行われることを特徴とする。
【０１０２】
また本発明は、該海中に放電される放電電圧或いは放電電流が、チャージポンプ或いはＤＣーＤＣコンバータにより生成されることを特徴とする。或いは本発明は、該海中に放電される放電電圧或いは放電電流のパターンが、そのパルス幅及び／又は周期が制御されることを特徴とする。
【０１０３】
また本発明は、該海中に放電される放電電圧或いは放電電流のパターンが、そのパルス幅及び／又は周期が変更可能であることを特徴とする。
【０１０４】
また本発明は、該海中に放電される放電電圧或いは放電電流のパターンが、そのパルス幅及び／又は周期がランダムに変更されることを特徴とする。
【０１０５】
また本発明は、該海中に放電される放電電圧或いは放電電流のパターンが、そのパルス幅が０.２秒以上０.７秒以内であることを特徴とする。さらに本発明に於いては、該海中に放電される放電電圧或いは放電電流のパターンの周期が０.５秒以上５秒以内であり、且つ、放電パルス幅の２倍以上であることが望ましく、該海中に放電される放電電圧或いは放電電流のパターンの周期が１秒以上４秒以内であり、且つ、放電パルス幅の２倍以上であることがさらに望ましい。
【０１０６】
また本発明は、該電源装置により供給されるパルス電圧或いはパルス電流が、非常時に位置を知らせる信号を兼ねるように設定されていることを特徴とする。さらに本発明に於いては、該電極間に電圧を印加するための電源装置により供給されるパルス電圧或いはパルス電流が、モールス信号を兼ねるように設定されていることを特徴とする。
【０１０７】
また本発明は、該電源装置からの通電をオンオフするスイッチが、水中に投入された場合にセンサーが反応してオンとなる構成であることを特徴とする。
【０１０８】
また本発明は、該装置をサーフィン、ダイビング、スノーケリング海水浴等の海洋レジャー時の鮫等による人的被害を忌避するために用いるにあたり、該装置は使用者の腕、脚等に装着、救命胴衣やウェットスーツ等の装備に装着或いはサーフボード等の器具に設置して用いることを特徴とする。
【０１０９】
また本発明は、該防水性を持つ部材及びモールド部材が透光性を有し、且つ、回路上に発光素子を備え、該発光素子の発光により内部状態を確認可能であることを特徴とする。該発光素子としてはＬＥＤ素子が好適に用いられる。さらに本発明に於いては、該発光素子がＬＥＤ素子であって、非常時に位置を知らせるための機能を兼ねることを特徴とする。
【０１１０】
また本発明は、該防水性を持つ部材が、一端が略ドーム形に成形された略円筒形をなし、釣具、漁具等とともに用い、或いは身体、ウェットスーツ、ライフジャケット、マリンレジャー用器具等に装着して用いることを特徴とする。また本発明は、該防水性を持つ部材が、円盤状に成形され且つベルトを備え、マリンレジャーの際に腕時計のように装着して用いることを特徴とする。
【０１１１】
本発明に係る、水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効であり、もって社会に資することが出来る。
【実施例１】
【０１１２】
以下、本発明に係る、水中に生息する鮫等の人的被害或いは食害を齎す生物を忌避する装置及びその使用方法の実施の例を図面を用いて説明する。図１は、本発明に係る装置の、実施形態の一例を説明するための図面代用写真である。本実施例は、水中に生息する鮫等の人的被害或いは食害を齎す生物を忌避する装置に於いて、粘弾性を有する材料よりなるチューブ状部材と、該チューブ状部材の一部に設けられ或いは内蔵された電源装置と、該チューブ状部材の外面の一部或いは全部に設けられた電極と、該チューブ状部材から延伸する対向電極を備えた紐状の部材と、該電源装置からの通電をオンオフするスイッチと、該チューブ状部材を輪状に連接するジョイント部材を備え、水中に投入して該電極間に電圧及び／又は電流を印加することにより、水中に生息する鮫等の人的被害或いは食害を齎す生物を忌避する装置であり、その使用方法である。
【０１１３】
図１は本発明に係る装置の試作状態を示すものである。本発明はかかる形態に限定されるものではないことは言うまでもない。ここで、本実施例に於いては発明に係る装置をマグロ等の魚類の釣りの際の食害を忌避するために用いる形態について説明する。
【０１１４】
本発明に係る装置をマグロ等の魚類の釣りの際の食害を忌避するために用いるにあたり、該装置は船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入して用いる。図３に、本発明に係る装置の、ジョイント部の一例の形態を説明するための図面代用写真を示す。
【０１１５】
図１中、粘弾性を有する材料よりなるチューブ状部材１が本体を形成する。チューブ状部材に用いる粘弾性を有する材料は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【０１１６】
ここで、本体を形成する材料は、これを輪状に連接して用いることに加えて、道糸をガイドにして釣り対象魚の近傍まで投入する際に道糸との摩擦で道糸を破損することがないようにする必要があり、前記の材料群から選択されることが望ましい。
【０１１７】
本実施例に於いては、チューブ状部材を輪状に連接した状態での輪の大きさが２３ｃｍ程度に形成した。ここで、チューブ状部材を輪状に連接した状態での輪の大きさが１０ｃｍ以上６０ｃｍ以下であることが望ましく、さらに、該チューブ状部材を輪状に連接した状態での輪の大きさは、１５ｃｍ以上４０ｃｍ以下であることが望ましい。これは、対象魚類に有効であるとともに該装置をマグロ等の魚類の釣りの際の食害を忌避するために用いるにあたり、該チューブ状部材を輪状に連接した本体が、投入後に対象魚の頭部に嵌ることにより鰓蓋の動きを制限し、対象魚の活動を規制する効果をも生じさせるためである。
【０１１８】
本実施例に於いては、電源部２に電源として乾電池を内蔵し、さらにパルス電圧を生成する回路を内蔵して用いた。図２に電源部の構成を示す図面代用写真を示す。図中右側が電池ケースであり、左側の電源回路とともに本体の電源部２に使用した。ここで、本実施例は実験試作であり、実際の製品では小型化の上で本体部１に内蔵するようにすれば良い。
【０１１９】
本発明に於いては、該チューブ状部材を連接するためのジョイントが両端が相互に嵌合する構造とした。これにより、船上に於いては該スイッチがオフ且つ該ジョイント部材が連接されていない状態で保管され、マグロ等の釣り対象魚が針にかかった後に該チューブ状部材を道糸を囲むように輪状にジョイント部材により連接し、道糸をガイドにして釣り対象魚の近傍まで投入することが可能となった。
【０１２０】
ここで、本発明に於いては、チューブ状部材を連接するためのジョイントを磁石により接合するする構造とすることも有効である。特に、強力な磁力を有するネオジム磁石等を用いることにより、電流のみでなく磁界による鮫等の忌避効果を重畳して得られ、効果を増大することができる。
【０１２１】
図４は、本発明に係る装置の、使用形態の一例を説明するための図面代用写真である。道糸に見立てた棒を囲むようにチューブ状部材を連接することにより、道糸をガイドにして釣り対象魚の近傍まで投入することを可能にしている。
【０１２２】
本発明に於いては、チューブ状部材から延伸する対向電極を備えた紐状の部材の長さが３０ｃｍ以上３ｍ以下であることが望ましく、さらに、該チューブ状部材から延伸する対向電極を備えた紐状の部材の長さが５０ｃｍ以上２m以下であることが望ましい。これは、対象魚のサイズと忌避効果、電源の有効時間から決定される。これらの範囲の延伸する対向電極を用いることで、マグロ等のサイズの大きな対象魚に於いても有効であり、且つ十分な持続時間を得ることができる。
【０１２３】
本発明に於いては、電極間に電圧を印加するための電源装置が電池を含んでなることが望ましく、さらに、該電池が乾電池、ボタン型電池或いは充放電が可能な蓄電池であることが望ましい。これらを使用することにより、船上からの送電が不要となり、レジャー用としても簡便に使用することが可能な装置が実現される。
【０１２４】
本発明に於いては、該装置に含まれる電源装置が、水中での電磁界を制御するため、放電電圧を準備し、海中に放電することを特徴とする。さらに本発明に於いては、該海中に放電される放電電圧が、パルス電圧であるようにした。これにより、特に海水中での放電による電池の減衰量を少なく抑え、長時間の使用に耐える装置を構成することができる。
【０１２５】
ここで本発明に於いては、該装置に含まれる電源装置が、水中での電磁界を制御するため、放電電流を海中に出力するようにしても良い。この場合該海中に放電される放電電流を、パルス電流とすると良い。これにより、特に海水中での放電による電池の減衰量を少なく抑え、長時間の使用に耐える装置を構成することができる。
【０１２６】
本実施例に於いては、海中に放電される放電電圧或いは放電電流が、そのパターンを変更することが可能なようにした。又、海中に放電される放電電圧或いは放電電流がそのパターンを変更することが可能であって、且つ、使用時にフィールドでパターン変更が可能であることがさらに望ましい。
【０１２７】
これにより、対象となる生物が水中での電磁界パターンに慣れて効果が薄れることを防止し、継続的な有効性を確保することができる。
【０１２８】
パターン変更機能は再プログラムできる機能を搭載することにより実現され、具体的にはプログラマブルハードウェアを搭載すること、或いはマイコン及び記録されるソフトウェアを搭載し、プログラムを書き換えることにより行われる。
【０１２９】
海中に放電される放電電圧或いは放電電流は、チャージポンプ或いはＤＣーＤＣコンバータにより生成されるようにした。海中に放電される放電電圧或いは放電電流のパターンは、のパルス幅及び／又は周期が制御される。
【０１３０】
海中に放電される放電電圧或いは放電電流のパターンが、そのパルス幅及び／又は周期がランダムに変更されることも有効である。これによっても、対象となる生物が水中での電磁界パターンに慣れて効果が薄れることを防止し、継続的な有効性を確保することができる。
【０１３１】
海中に放電される放電電圧或いは放電電流のパターンは、そのパルス幅が０.２秒以上０.７秒以内であることが望ましい。また、海中に放電される放電電圧或いは放電電流のパターンの周期が０.５秒以上５秒以内であり、且つ、放電パルス幅の２倍以上であることが望ましくまた、海中に放電される放電電圧或いは放電電流のパターンの周期が１秒以上４秒以内であり、且つ、放電パルス幅の２倍以上であることがさらに望ましい。かかる範囲で用いることにより、忌避効果を損なうことなく水中での放電による電池の減衰量を少なく抑え、長時間の使用に耐える装置を構成することができる。
【０１３２】
本発明にかかる装置を用いて実際の釣りに於いて効果確認を行ったところ、マグロ釣りに於いては通常８割ほどが食害の被害に遭っているものが本装置の使用により食害が１割程度以下に抑えられ、劇的に有効であることがわかった。これは、金目鯛釣りに於いても同様の効果が確認された。
【０１３３】
本発明に於いては、電極間に電圧を印加するための電源装置からの通電をオンオフするスイッチが該チューブ状部材を連接するためのジョイントが連接されることによりオンとなる構成とすることが有効であった。これにより、特にスイッチ操作を要することなく使用状態に移行することができた。また、電極間に電圧を印加するための電源装置からの通電をオンオフするスイッチが水中に投入された場合にセンサーが反応してオンとなる構成とすることも同様に有効である。この場合、水中に投入された際に抵抗値が変化することを感知するセンサー等が好適に用いられる。
【実施例２】
【０１３４】
次に、本発明に係る装置を、サーフィン等の海洋レジャー時の鮫等による人的被害を忌避するために用いる例について説明する。本発明に係る装置は使用者の腕、脚等に装着、救命胴衣等の装備に装着或いはサーフボード等の器具に設置して用いることにより、水中に生息する鮫等の人的被害或いは食害を齎す生物を忌避することができる。
【０１３５】
かかる使用方法の場合、特にチューブ状部材を輪状に連接した状態での輪の大きさが１０ｃｍ以上６０ｃｍ以下であることが望ましく、さらに、該チューブ状部材を輪状に連接した状態での輪の大きさは、１５ｃｍ以上４５ｃｍ以下であることが望ましい。これは、使用者の腕、脚等に装着する便宜、及びサーフボード等の器具に設置して用いるために好適だからである。
【０１３６】
また、かかる使用方法の場合、チューブ状部材から延伸する対向電極を備えた紐状の部材の長さが２０ｃｍ以上２ｍ以下であることが望ましく、さらに、該チューブ状部材から延伸する対向電極を備えた紐状の部材の長さが３５ｃｍ以上１m５０ｃｍ以下であることが望ましい。これは、使用者の体格やサーフボード等の器具のサイズを勘案して、必要且つ十分な電界範囲を確保するためである。
【０１３７】
かかる使用方法の場合、通電をオンオフするスイッチは、水中に投入された場合にセンサーが反応してオンとなる構成とすることが有効である。これは、使用者が落水した場合に鮫等による危害のリスクが生じるからである。また、落水前にはスイッチがオフであることにより、使用時間及び待機時間を延ばす効果がある。
【０１３８】
また、かかる使用方法の場合、電源装置により供給されるパルス電圧或いはパルス電流が、非常時に位置を知らせる信号を兼ねるように設定することができ、特に電極間に電圧を印加するための電源装置により供給されるパルス電圧或いはパルス電流が、モールス信号を兼ねるように設定することにより、非常時に探索等に資する効果がある。
【０１３９】
また、かかる使用方法の場合、非常時に位置を知らせるための発光素子を含むようにすることにより、非常時に探索等に資する効果がある。この場合、消費電力の関係から発光素子としてＬＥＤを用いると良い。
【実施例３】
【０１４０】
次に、本発明に係る水中に生息する鮫等の人的被害或いは食害を齎す生物を忌避する装置及びその使用方法の実施の他の例を図面を用いて説明する。図５及び図６は、本発明に係る装置の、実施形態の他の例を説明するための図面代用写真である。本発明は、水中に生息する鮫等の人的被害或いは食害を齎す生物を忌避する装置に於いて、防水性を持つ部材に封入された電源装置と、該防水性を持つ部材の外面の一部或いは全部に設けられた電極と、該防水性を持つ部材から延伸する対向電極を備えた紐状の部材と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【０１４１】
また本発明は、水中に生息する鮫等の人的被害或いは食害を齎す生物を忌避する装置に於いて、防水性を持つ部材に封入された電源装置と、該防水性を持つ部材の外面の一部に設けられた電極と、該防水性を持つ部材の外面の他の一部に設けられた対向電極と、該電源装置からの通電をオンオフするスイッチを備え、水中に投入、身体や装具に装着或いはレジャー器具等に装備して該電極間に電圧及び／又は電流を印加することにより、水中に生息する鮫等の人的被害或いは食害を齎す生物を忌避する装置であり、その使用方法である。
【０１４２】
図５及び図６は本発明に係る装置の試作状態を示すものである。本発明はかかる形態に限定されるものではないことは言うまでもない。ここで、本発明に係る装置をマグロ等の魚類の釣りの際の食害を忌避するために用いる形態については、実施例１の場合とほぼ同様である。
【０１４３】
本実施例に於いては、防水性を持つ部材が、一端が略ドーム形に成形された略円筒形をなし、釣具、漁具等とともに用い、或いは身体、ウェットスーツ、ライフジャケット、マリンレジャー用器具等に装着して用いるようにした。また、防水性を持つ部材が、円盤状に成形され且つベルトを備え、マリンレジャーの際に腕時計のように装着して用いる事も有効である。
【０１４４】
図５及び図６中、防水性を持つ部材は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかが好適に用いられる。
【０１４５】
本発明に於いては、電源装置から延伸する対向電極を備えた紐状の部材の長さが３０ｃｍ以上３ｍ以下であることが望ましく、さらに、電源装置から延伸する対向電極を備えた紐状の部材の長さが５０ｃｍ以上２m以下であることが望ましい。図６に於いては、かかる対向電極を備えた紐状の部材を結束して示しており、その長さが確認できる。これは、対象魚のサイズと忌避効果、電源の有効時間から決定される。これらの範囲の延伸する対向電極を用いることで、マグロ等のサイズの大きな対象魚に於いても有効であり、且つ十分な持続時間を得ることができる。
【０１４６】
本発明に於いては、電極間に電圧を印加するための電源装置が電池を含んでなることが望ましく、さらに、該電池が乾電池、ボタン型電池或いは充放電が可能な蓄電池であることが望ましい。これらを使用することにより、船上からの送電等が不要となり、レジャー用としても簡便に使用することが可能な装置が実現される。
【０１４７】
本発明に於いては、電極間に電圧を印加するための電源装置が電池を含んでなることが望ましく、さらに、該電池が乾電池、ボタン型電池或いは充放電が可能な蓄電池であることが望ましい。これらを使用することにより、船上からの送電が不要となり、レジャー用としても簡便に使用することが可能な装置が実現される。
【０１４８】
本発明に於いては、該装置に含まれる電源装置が、水中での電磁界を制御するため、放電電圧を準備し、海中に放電することを特徴とする。さらに本発明に於いては、該海中に放電される放電電圧が、パルス電圧であるようにした。これにより、特に海水中での放電による電池の減衰量を少なく抑え、長時間の使用に耐える装置を構成することができる。
【０１４９】
ここで本発明に於いては、該装置に含まれる電源装置が、水中での電磁界を制御するため、放電電流を海中に出力するようにしても良い。この場合該海中に放電される放電電流を、パルス電流とすると良い。これにより、特に海水中での放電による電池の減衰量を少なく抑え、長時間の使用に耐える装置を構成することができる。
【０１５０】
本実施例に於いては、海中に放電される放電電圧或いは放電電流が、そのパターンを変更することが可能なようにした。又、海中に放電される放電電圧或いは放電電流がそのパターンを変更することが可能であって、且つ、使用時にフィールドでパターン変更が可能であることがさらに望ましい。
【０１５１】
これにより、対象となる生物が水中での電磁界パターンに慣れて効果が薄れることを防止し、継続的な有効性を確保することができる。
【０１５２】
パターン変更機能は再プログラムできる機能を搭載することにより実現され、具体的にはプログラマブルハードウェアを搭載すること、或いはマイコン及び記録されるソフトウェアを搭載し、プログラムを書き換えることにより行われる。
【０１５３】
海中に放電される放電電圧或いは放電電流は、チャージポンプ或いはＤＣーＤＣコンバータにより生成されるようにした。海中に放電される放電電圧或いは放電電流のパターンは、のパルス幅及び／又は周期が制御される。
【０１５４】
海中に放電される放電電圧或いは放電電流のパターンが、そのパルス幅及び／又は周期がランダムに変更されることも有効である。これによっても、対象となる生物が水中での電磁界パターンに慣れて効果が薄れることを防止し、継続的な有効性を確保することができる。
【０１５５】
海中に放電される放電電圧或いは放電電流のパターンは、そのパルス幅が０.２秒以上０.７秒以内であることが望ましい。また、海中に放電される放電電圧或いは放電電流のパターンの周期が０.５秒以上５秒以内であり、且つ、放電パルス幅の２倍以上であることが望ましくまた、海中に放電される放電電圧或いは放電電流のパターンの周期が１秒以上４秒以内であり、且つ、放電パルス幅の２倍以上であることがさらに望ましい。かかる範囲で用いることにより、忌避効果を損なうことなく水中での放電による電池の減衰量を少なく抑え、長時間の使用に耐える装置を構成することができる。
【０１５６】
本発明にかかる装置を用いて実際の釣りに於いて効果確認を行ったところ、マグロ釣りに於いては通常８割ほどが食害の被害に遭っているものが本装置の使用により食害が１割程度以下に抑えられ、劇的に有効であることがわかった。これは、金目鯛釣りに於いても同様の効果が確認された。
【０１５７】
本発明に於いては、電極間に電圧を印加するための電源装置からの通電をオンオフするスイッチが水中に投入された場合にセンサーが反応してオンとなる構成とすることも同様に有効である。この場合、水中に投入された際に抵抗値が変化することを感知するセンサー等が好適に用いられる。
【実施例４】
【０１５８】
次に、本発明に係る装置を、サーフィン等の海洋レジャー時の鮫等による人的被害を忌避するために用いる例について説明する。本発明に係る装置は使用者の腕、脚等に装着、救命胴衣等の装備に装着或いはサーフボード等の器具に設置して用いることにより、水中に生息する鮫等の人的被害或いは食害を齎す生物を忌避することができる。
【０１５９】
かかる使用方法の場合、特に電源部をウェットスーツの頭部や肩部付近に装着せしめ、紐状電極を脚部、足ヒレ、足首或いは手首等に固定して用いることが好ましい。またサーフボード等の器具に設置して用いることも好適に行える。
【０１６０】
また、かかる使用方法の場合、電源装置から延伸する対向電極を備えた紐状の部材の長さが２０ｃｍ以上２ｍ以下であることが望ましく、さらに、該電源装置から延伸する対向電極を備えた紐状の部材の長さが３５ｃｍ以上１m５０ｃｍ以下であることが望ましい。これは、使用者の体格やサーフボード等の器具のサイズを勘案して、必要且つ十分な電界範囲を確保するためである。
【０１６１】
かかる使用方法の場合、通電をオンオフするスイッチは、水中に投入された場合にセンサーが反応してオンとなる構成とすることが有効である。これは、使用者が落水或いは入水した場合に鮫等による危害のリスクが生じるからである。また、落水前にはスイッチがオフであることにより、使用時間及び待機時間を延ばす効果がある。
【０１６２】
また、かかる使用方法の場合、電源装置により供給されるパルス電圧或いはパルス電流が、非常時に位置を知らせる信号を兼ねるように設定することができ、特に電極間に電圧を印加するための電源装置により供給されるパルス電圧或いはパルス電流が、モールス信号を兼ねるように設定することにより、非常時に探索等に資する効果がある。
【０１６３】
また、かかる使用方法の場合、非常時に位置を知らせるための発光素子を含むようにすることにより、非常時に探索等に資する効果がある。この場合、消費電力の関係から発光素子としてＬＥＤを用いると良い。
【産業上の利用可能性】
【０１６４】
以上述べてきたように、本発明に係る水中に生息する鮫等の人的被害或いは食害を齎す生物を忌避する装置及びその使用方法は、簡便な構成で簡便な構成でレジャーとしての釣りに於いても使用可能で、マグロ等の魚類の釣りの際の食害を忌避することの出来る装置を提供し、さらに、簡便な構成でサーフィン等の海洋レジャー時に於いても使用可能で、鮫等による人的被害を忌避することの出来る装置を提供し、人命を守るためにも有効であり、産業上の利用可能性は大である。
【符号の説明】
【０１６５】
１    粘弾性を有する材料よりなるチューブ状部材
２    電源装置
３    ジョイント部
４    対向電極
【図１】
2020110145.tif 000003
【図２】
2020110145.tif 000004
【図３】
2020110145.tif 000005
【図４】
2020110145.tif 000006
【図５】
2020110145.tif 000007
【図６】
2020110145.tif 000008